(57)【要約】【課題】構造が簡単で電子制御を必要とせず、なおかつ、原動力の大きさにみあった出力調整を可能とする自動無段変速装置を提供する。【解決手段】遊星歯車とフルードカップリングを融合させ、出力軸（１０）の負荷が大きい時は、負荷の小さい遊星歯車（２・４）を回転させＬＯＷギア状態となり、出力軸（１０）の負荷が小さくなってくると、徐々にフルードカップリング（８）内のフィン（３・９）からの回転力が加算されてＨＩＧＨギア状態となる。電子制御などの外部からの力を受けずに自動的に無段変速をおこなう。また、フルードカップリング内のフィンＡ（４），フィンＢ（９）の間隔を変えることにより、原動力の大きさにみあった出力調整を可能にしたことを特徴とする。【選択図】図１
2007225103.tif 000002
【特許請求の範囲】
【請求項１】
原動軸（１）の軸上に歯車Ａ（２）を固定しその先にフィンＡ（３）を固定する。歯車Ａ（２）の回転を伝達させるように、その外側に歯車Ｂ（４）を設ける。歯車Ｂ（４）を囲むような形で歯車Ｃ（５）を設け、その外側には歯車Ｃ（５）を原動軸（１）と反対に回転させないための、逆転防止ストッパー（６）を設ける。歯車Ｂ（４）の中心軸上に従動軸（７）を設け、その一端をフルードカップリング（８）に固定させる。フルードカップリング（８）内には、フィンＢ（９）をフィンＡ（３）に向き合う形で固定させる、また、フルードカップリング（８）内には、オイルを満たし、フィンＡ（３）の回転に追従してフィンＢ（９）が回転するものとする。フルードカップリング（８）の中心軸上に出力軸（１０）を固定させ、最終的な出力の伝達先とする。
前途の通りフィンＡ（３）は原動軸（１）に固定されているが、原動軸（１）を軸線方向に移動させることにより、同時にフィンＡ（３）も移動し、フィンＢ（９）との間隔を調整できる構造とする。
フィンＡ（３）、Ｂ（９）の形状については一例であり、これを一般的なトルクコンバータの形状とすることもできる。（フルードカップリングの一種としてトルクコンバータも含まれる）
以上の構成の自動無段変速装置。（図１）
【請求項２】
請求項１の構造を自転車用に応用した構造である。
原動軸（１）を延長させその軸上に入力ペダル（１２）を設ける。フルードカップリング（８）の外周に歯車Ｄ（１３）を固定させる。歯車Ｄ（１３）の回転を伝達させる手段としてチェーン（１４）を設け、後輪歯車（１５）及び出力軸（１０）に伝達させ、最終的な出力の伝達先とする。
以上の構成の（自転車用）自動無段変速装置。（図４）
【発明の詳細な説明】
【技術分野】
【０００１】この発明は、遊星歯車と、フルードカップリングを融合させ自動無段変速を行ない、なおかつ、原動力の大きさにみあった出力の設定ができる自動無段変速装置に関するものである。
【背景技術】
【０００２】従来、無段変速装置は、多数で複雑な構造の歯車と、大きな設置スペース、又、電子制御や油圧制御を必要としており、開発コスト、生産コストとも多大なものであった。
【発明の開示】
【発明が解決しようとする課題】
【０００３】これらの欠点を解決するため、次の項目を課題とした。
・歯車の数を少なくし、構造、形状を簡素化する
・電子制御、油圧制御を使用しない
・原動軸の負荷を調整可能にする
・力のロスを抑える
【課題を解決するための手段】
【０００４】（請求項１）原動軸（１）の軸上に歯車Ａ（２）を固定しその先にフィンＡ（３）を固定する。歯車Ａ（２）の回転を伝達させるように、その外側に歯車Ｂ（４）を設ける。歯車Ｂ（４）を囲むような形で歯車Ｃ（５）を設け、その外側には歯車Ｃ（５）を原動軸（１）と反対に回転させないための、逆転防止ストッパー（６）を設ける。歯車Ｂ（４）の中心軸上に従動軸（７）を設け、その一端をフルードカップリング（８）に固定させる。フルードカップリング（８）内には、フィンＢ（９）をフィンＡ（３）に向き合う形で固定させる、また、フルードカップリング（８）内には、オイルを満たし、フィンＡ（３）の回転に追従してフィンＢ（９）が回転するものとする。フルードカップリング（８）の中心軸上に出力軸（１０）を固定させ、最終的な出力の伝達先とする。【０００５】前途の通りフィンＡ（３）は原動軸（１）に固定されているが、原動軸（１）を軸線方向に移動させることにより、同時にフィンＡ（３）も移動し、フィンＢ（９）との間隔を調整できる構造とする。【０００６】フィンＡ（３）、Ｂ（９）の形状については一例であり、これを一般的なトルクコンバータの形状とすることもできる。（フルードカップリングの一種としてトルクコンバータも含まれる）【０００７】本発明は以上の構成よりなる自動無段変速装置である。（図１）【０００８】（請求項２）請求項１の構造を自転車用に応用した構造である。【０００９】原動軸（１）を延長させその軸上に入力ペダル（１２）を設ける。フルードカップリング（８）の外周に歯車Ｄ（１３）を固定させる。歯車Ｄ（１３）の回転を伝達させる手段としてチェーン（１４）を設け、後輪歯車（１５）及び出力軸（１０）に伝達させ、最終的な出力の伝達先とする。【００１０】本発明は以上の構成よりなる（自転車用）自動無段変速装置である。（図４）
【発明の効果】
【００１１】原動軸からフィンＡ（３）に伝わった力は、フルードカップリング（８）内オイルを介してフィンＢ（９）を回転させようとするが、出力軸（１０）の負荷が大きすぎると回転させることが出来ない。その場合は、歯車Ａ（２）が負荷の小さい歯車Ｂ（４）を回転させる。歯車Ｂ（４）は歯車Ｃ（５）を回転させようとするが逆転防止ストッパー（６）があるため従動軸（７）を＋方向に回転させる。よってそれに固定されている出力軸（１０）が回転する。これがＬＯＷギアとなる。【００１２】一方、主軸の回転速度が速くなってくるとフィンＡ（３）の回転の回転速度も上がってくるが、それに追従してフィンＢ（９）を回転させようとする力も強くなる、そしてフィンＢ（９）が回転し初め、ある時点で、従動軸（７）からの回転速度を上回ると、歯車Ｃ（５）は＋方向に空回りし、これまでの従動軸（７）からの回転速度にフィンＢ（９）からの回転力が加算されて出力軸（１０）を回転させることになる。これが中速域となる。【００１３】そして、さらに速度が増してフィンＡ（３）とフィンＢ（９）が同じ回転速度になったときがＨＩＧＨ（ＴＯＰ）ギアとなる。【００１４】また、原動軸からの力の大きさを調整する手段として、原動軸（１）を軸方向に移動させれば、それに固定されているフィンＡ（３）も移動し、フィンＢ（９）との隙間が変わり作用が変化する。フィンＢ（９）に対する作用を変化させることにより、ＬＯＷからＨＩＧＨに切り替わるポイントを変化させる。フィンＡ（３）をフィンＢ（９）に近づければ作用が大きくなり、遠ざければ作用が小さくなる。この特性を利用して原動軸（１）の負荷を調整可能にしている。【００１５】以上の構造から、ＬＯＷギア時は歯車Ｂからの回転により出力軸を回転させ、ＨＩＧＨギア時は、歯車Ｂからの回転にフィンＢからの回転も加算される、すでに回転しているものに回転をあたえる（歯車Ｂはフルードカップリングが作用してなくても常に回転している）のでロスが少ない。また、原動力の大小による調整も可能なので、この効果は幅広く応用できる。電子制御等を必要とせずに、自転車、自動車、農耕機、工作機（リュータ等）、玩具（ラジコンカー等）、電気モーター等の自動無段変速を可能にしている。
【発明を実施するための最良の形態】
【００１６】例として、自動車に組み込んだ場合、図３のような形体になる。クラッチ（１１）は原動軸の力をＯＮ、ＯＦＦさせ、また、急激な力の伝達を防ぐためのものである。発進時や登坂時の出力軸の負荷が大きい時は従動軸からのＬＯＷギア状態となり、平坦道や高速走行時の負荷が少なくなると、徐々にフィンＢからの回転力が加算されていきＨＩＧＨギア状態となる。中低速時のトルクがさらに必要なときは、フルードカップリングをトルクコンバータ形式に変えることも可能である。（図３）【００１７】次に、自転車に組み込む場合は、形状をいくらか変えなければならないが、図４のような形体になる。発進時や登坂時は従動軸からのＬＯＷギア状態となり、平坦道や高速走行時は自動的にフィンＢからのＨＩＧＨギア状態へと変化する。さらに、原動軸を軸方向に移動させることにより負荷を調整できるので、子供やお年寄りなど非力な人から強力な人まで対応が可能である。また、後輪ハブ内に組み込んで内装変速としても利用可能である。（図４）【００１８】次に、ラジコンカーに組み込む場合は、電気モーターに取り付けるか、電気モーター自体に組み込むことになるが、これも同様の効果があり、平坦面では早く、登坂時ではゆっくりになるが、力強く、どんな坂でも登れるラジコンカーができる。
【図面の簡単な説明】
【００１９】
【図１】本発明の簡単な斜視図である。（フルードカップリング内はカットモデル）
【図２】本発明の簡単な断面図である。
【図３】自動車に組み込む場合の斜視図である。（フルードカップリング内はカットモデル）
【図４】自転車に組み込む場合の斜視図である。（フルードカップリング内はカットモデル）
【符号の説明】
【００２０】１．原動軸
２．歯車Ａ（太陽ギア）
３．フィンＡ
４．歯車Ｂ（遊星ギア）
５．歯車Ｃ（リンクギア）
６．逆転防止ストッパー
７．従動軸
８．フルードカップリング
９．フィンＢ
１０．出力軸
１１．クラッチ（自動車の例）
１２．ペダル（自転車の例）
１３．歯車Ｄ（自転車の例）
１４．チェーン（自転車の例）
１５．後輪歯車（自転車の例）
【図１】
2007225103.tif 000003
【図２】
2007225103.tif 000004
【図３】
2007225103.tif 000005
【図４】
2007225103.tif 000006